(57)【特許請求の範囲】
【請求項１】
メガネのツルに装飾部品を取付ける構造において、装飾部の裏側には２本の脚を平行に設け、両脚の内面は段差を形成すると共に基部側の幅広の空間にはツルが嵌り、先端側の幅の狭い空間には一方の蝶片が嵌り、そしてツルに設けたストッパーに脚の一端が当接し、脚の他端は他方の蝶片に当接することを特徴とするメガネ装飾部品の取付け構造。
【請求項２】
メガネのヨロイに装飾部品を取付ける構造において、装飾部の裏側には２本の脚を平行に設け、両脚の内面は段差を形成すると共に基部側の幅広の空間にはヨロイが嵌り、先端側の幅の狭い空間には一方の蝶片が嵌り、そしてヨロイに設けたストッパーに脚の一端が当接し、脚の他端は他方の蝶片に当接することを特徴とするメガネ装飾部品の取付け構造。
【発明の詳細な説明】
【０００１】
【発明の属する技術分野】
本発明はメガネの装飾部品、及び装飾部品をメガネに備える場合の取付け構造に関するものである。
【０００２】
【従来の技術】
メガネフレームはレンズをフロント部のリムに嵌めて顔に掛けることが出来るが、近年のメガネフレームはその材質としてチタン等の軽くてバネ性に優れたものが使用されていて、軽くてスリムなメガネが多用されている。このような材質から成るメガネフレームはそれ自体に装飾性が備わっているが、それとは別に装飾を目的とした二次加工が施される場合も多い。
【０００３】
メガネフレームは軽くて長時間着用しても疲れが少ないといった機能性が要求されるだけでなく、顔に掛けるものであることから必然的にデザイン及び装飾性が要求されて、この要素は大きなウエイトを持っている。ところで、メガネの装飾方法として別の装飾部品をメガネフレームの一部に取付けるといった方法が従来から採用され、取付け手段としては一般的にネジ止め、カシメ、接着が用いられて来ている。
【０００４】
しかし、ネジ止めや接着では装飾部品が外れてしまうといった場合もあり、又逆に別の装飾部品に交換したい時には不可能であるか、少なくとも不便である。一方、装飾部品を取外すならばメガネフレームに取付け跡が残ってしまい、装飾部品なしにメガネとして使用出来ないことも多い。
【０００５】
【発明が解決しようとする課題】
このようにメガネに取付ける装飾部品の従来からの取付け方法には上記のごとき問題がある。本発明が解決しようとする課題はこの問題点であり、装飾部品の取付けを簡単に行うことが出来、又別の装飾部品に交換することが出来、さらには装飾部品を取外した場合であっても跡が残らずメガネの外観を損なうことのない装飾部品の取付け構造、並びにメガネの装飾部品を提供する。
【０００６】
【課題を解決する為の手段】
本発明の装飾部品は裏側に２本の脚を有し、この脚の両内面は基部側の間隔を大きくした段付き面を成していて、ツル又はヨロイを挟み込むと共に蝶番の一方側蝶片を両脚の先端部で挟むことが出来る形態となっている。ここで装飾部品の具体的な形態、材質等は限定しないことにする。
【０００７】
ところで、本発明の装飾部品を取付ける場合、ツルをヨロイから分離した状態とし、端部からツル又はヨロイを両脚にて挟むように挿入し、両脚先端は蝶番の一方側蝶片を挟むことになる。ここで装飾部品が取付けられる側はツル側でもヨロイ側でもよいが、互いに噛み合う蝶片の中で高さ寸法の小さな凸状蝶片側に取付けられる。
【０００８】
装飾部品を取付けた状態で両蝶片を軸ネジを介して連結するならば、外れないようになる。ツルが折畳まれた場合であっても、装飾部品の脚が対向する側の蝶片のコマに当って外れることはない。以下、本発明に係る実施例を図面に基づいて詳細に説明する。
【０００９】
【実施例】
図１は本発明の装飾部品１をメガネに取付けた場合を示す実施例である。装飾部品１はツル２の端部であってヨロイ３との境界に取付けられ、ツル２を折畳んでも外れることはない。
【００１０】
図２は本発明の装飾部品１を示している実施例であり、装飾部４は宝石、印刷、七宝等、具体的には色々なものを採用することが出来る。そして装飾部４の裏側には２本の脚５ａ，５ｂが平行を成して設けられ、該脚５ａ，５ｂの内面は段付き面を形成している。両脚５ａ，５ｂの基部側の間隔Ｌは先端側間隔Ｍより大きく、この間隔Ｌの空間６にはツル２が嵌ることが出来る。一方の間隔Ｍの空間７にはツル２を連結している蝶番８の片側蝶片が嵌ることになる。
【００１１】
図３は図２に示した装飾部品１を取付けた状態の拡大図であり、ツル２の端部に該ツル２を両脚５ａ，５ｂにて挟むように取着される。そしてツル２に形成したストッパー９に脚５ａ，５ｂが当って停止し、反対側は蝶片に当接する。すなわちツル２に嵌った脚５ａ，５ｂはストッパー９と蝶片とに挟まれて止着される。
【００１２】
図４は装飾部品１の取付け方法を示した場合である。ヨロイ３には蝶片１０ａがロウ付けされ、ツル２には蝶片１０ｂがロウ付けされている。両蝶片１０ａ，１０ｂは違いに噛み合って連結されるが、この場合、蝶片１０ａは凹状化し、蝶片１０ｂは凸状化している為に、寸法の大きな蝶片１０ａには小さな寸法の蝶片１０ｂが嵌合して軸ネジにより連結される。
【００１３】
装飾部品１はツル２に取付けた状態で両蝶片１０ａ，１０ｂが軸ネジ１１にて連結される。従って、装飾部品１の脚５ａ，５ｂはストッパー９と蝶片１０ａに挟まれ、両脚５ａ，５ｂの空間６にはツル２が嵌り、空間７には蝶片１０ｂが嵌って固定され、その結果、外れることはない。
【００１４】
図５(ａ)は装飾部品１を取付けた場合の図４におけるＡ矢視図を示し、(ｂ)はＡ−Ａ断面を示している。同図に示すようにツル２に取付けられた装飾部品１は外れることなく固定される。そしてツル２が折畳まれた場合であっても、脚５ａ，５ｂの先端が蝶片１０ａに当ってツル２から外れない。
【００１５】
この実施例では装飾部品１がツル２に取付けられる場合を示しているが、同じような構造でヨロイ３側に取付けることも可能である。勿論、この場合には寸法の大きい蝶片１０ａはツル側に、寸法の小さな蝶片１０ｂはヨロイ側にロウ付けしなくてはならない。そしてヨロイ３には脚５ａ，５ｂが当るストッパー９が必要となる。
【００１６】
実施例のストッパー９はツル２の内側に凸部を形成しているが、脚５ａ，５ｂが嵌るツル２の端部を僅かに切り欠いて形成してもよい。以上述べたように、本発明に係る装飾部品は装飾部の裏側に２本の脚を設け、両脚間の空間にツル及び蝶片を嵌めて取付けたものであり、次のような効果を得ることが出来る。
【００１７】
【発明の効果】
本発明の装飾部品は２本の両脚を有し、この脚間にツルと蝶片を嵌合した状態で取付けられる。従って装飾部品はツルに設けたストッパーと他方の蝶片に脚が挟まれる為に外れることはない。勿論、ツルが折畳まれた場合であっても外れない。そして従来のようなネジ止めやカシメではなく、ツルにキズを付けることはなく、取外しても取付け跡は残らない。
【００１８】
装飾部品の取付けに際しては蝶番を分離した状態で両脚間にツルを嵌合し、両蝶片を軸ネジにて連結すればよく、装飾部品の交換も可能である。すなわち、色々な装飾部品を準備することで交換して取り替えることが出来る。
【図面の簡単な説明】
【図１】装飾部品を取付けたメガネ。
【図２】本発明の装飾部品。
【図３】装飾部品がツルに取付けられた詳細図。
【図４】装飾部品をツルに取付ける方法。
【図５】  (ａ)は図４のＡ矢視図、(ｂ)は(ａ)のＡ−Ａ断面図。
【符号の説明】
１  装飾部品
２  ツル
３  ヨロイ
４  装飾部
５  脚
６  空間
７  空間
８  蝶番
９  ストッパー
10  蝶片
11  軸ネジ
【図１】
0003697604.tif 000002
【図２】
0003697604.tif 000003
【図３】
0003697604.tif 000004
【図４】
0003697604.tif 000005
【図５】
0003697604.tif 000006